(57)【要約】      （修正有）【課題】利用者を誘導地点に効果的に誘導することができる配電用地上機器を用いた案内表示システムを提供する。【解決手段】配電用地上機器と複数の電柱２とに設けられる。地図用表示シート１０と複数の電柱用表示シート２０とを有する。地図用表示シート１０は、誘導地点を表示した地図１４を表面に有して配電用地上機器の表面に設けられる。各電柱用表示シート２０は、配電用地上機器から誘導地点までの道順に沿って設置された複数の電柱２に設けられ、誘導地点に関連する情報を表面に有する。誘導地点に関連する情報は、誘導地点の観光スポットや避難場所の名称表示、配電用地上機器から誘導地点までの距離および方向表示２３などから成る。【選択図】図１
0003218004.tif 000002
【実用新案登録請求の範囲】
【請求項１】
配電用地上機器と複数の電柱とに設けられる案内表示システムであって、
地図用表示シートと複数の電柱用表示シートとを有し、
前記地図用表示シートは誘導地点を表示した地図を表面に有して前記配電用地上機器の表面に設けられ、
各電柱用表示シートは前記配電用地上機器から前記誘導地点までの道順に沿って設置された前記複数の電柱に設けられ、前記誘導地点に関連する情報を表面に有することを、
特徴とする案内表示システム。
【請求項２】
配電用地上機器と複数の電柱とに設けられる案内表示システムであって、
地図用表示シートと複数の電柱用表示シートとを有し、
前記地図用表示シートは、誘導地点を示す誘導地点表示と、前記配電用地上機器から前記誘導地点までの距離表示と、前記配電用地上機器と前記誘導地点との地理関係を表示した地図と、前記誘導地点に関連するマトリックス型２次元コードとを表面に有して前記配電用地上機器の表面に設けられ、
各電柱用表示シートは前記配電用地上機器から前記誘導地点までの道順に沿って設置された前記複数の電柱に設けられ、前記誘導地点を示す誘導地点表示と、前記誘導地点までの距離表示とを表面に有することを、
特徴とする案内表示システム。
【請求項３】
前記誘導地点表示は観光スポットの名称表示から成り、各電柱用表示シートは前記誘導地点に関連する写真を有し、前記地図は前記観光スポットを示す地図から成り、前記マトリックス型２次元コードは観光協会ホームページへ誘導する構成を有することを、特徴とする請求項２記載の案内表示システム。
【請求項４】
前記誘導地点表示は避難場所の名称表示から成り、各電柱用表示シートは震災時の浸水深を示す高さ表示を有し、前記地図は前記避難場所を示す地図から成り、前記マトリックス型２次元コードは防災担当部署のホームページへ誘導する構成を有することを、特徴とする請求項２記載の案内表示システム。
【請求項５】
前記配電用地上機器は正面と両側面と背面とを有し、前記地図用表示シートは前記正面と前記両側面と前記背面とに設けられていることを、特徴とする請求項１、２、３または４記載の案内表示システム。
【考案の詳細な説明】
【技術分野】
【０００１】
本考案は、配電用地上機器を用いた案内表示システムに関する。
【背景技術】
【０００２】
電線の地中化に伴い、配電用地上機器が多数設置されている。配電用地上機器は、箱状であって、内部に変圧器、開閉器、低圧分岐装置などが収容される。この配電用地上機器への落書きを防止する目的で、その表面に化粧が施されたフィルムを密着して貼り付けた配電用地上機器が考案されている（例えば、特許文献１参照）。貼り付けられたフィルムには、観光スポットの地図などが表示されて観光振興に役立てられている。
【先行技術文献】
【特許文献】
【０００３】
【特許文献１】実用新案登録第３１９８４３２号公報
【考案の概要】
【考案が解決しようとする課題】
【０００４】
しかしながら、特許文献１の配電用地上機器では、一般の観光案内板の代わりに用いることができるが、観光案内板以上の効果は期待できず、効果が限定的であるという課題があった。
【０００５】
本考案は、このような課題に着目してなされたもので、利用者を誘導地点に効果的に誘導することができる配電用地上機器を用いた案内表示システムを提供することを目的とする。
【課題を解決するための手段】
【０００６】
上記目的を達成するために、本考案に係る案内表示システムは、配電用地上機器と複数の電柱とに設けられる案内表示システムであって、地図用表示シートと複数の電柱用表示シートとを有し、前記地図用表示シートは誘導地点を表示した地図を表面に有して前記配電用地上機器の表面に設けられ、各電柱用表示シートは前記配電用地上機器から前記誘導地点までの道順に沿って設置された前記複数の電柱に設けられ、前記誘導地点に関連する情報を表面に有することを、特徴とする。
【０００７】
誘導地点に関連する情報は、例えば、誘導地点の観光スポットや避難場所の名称表示、配電用地上機器から誘導地点までの距離表示、誘導地点に関連するマトリックス型２次元コードなどから成る。誘導地点は、１つでも複数でもよい。名称表示や距離表示などは、点字から成っていてもよい。誘導地点までの道順は、徒歩用でも自家用車用でもバス用でもよい。
【０００８】
この本考案に係る案内表示システムは、地図用表示シートを配電用地上機器の表面に設け、複数の電柱用表示シートを複数の電柱に設けて使用される。電柱用表示シートは配電用地上機器から誘導地点までの道順に沿って電柱に表示されるので、誘導地点に関連する情報を確認することにより、誘導地点に円滑にたどり着くことができる。こうして、利用者を誘導地点に効果的に誘導することができる。
【０００９】
本考案に係る案内表示システムは、配電用地上機器と複数の電柱とに設けられる案内表示システムであって、地図用表示シートと複数の電柱用表示シートとを有し、前記地図用表示シートは、誘導地点を示す誘導地点表示と、前記配電用地上機器から前記誘導地点までの距離表示と、前記配電用地上機器と前記誘導地点との地理関係を表示した地図と、前記誘導地点に関連するマトリックス型２次元コードとを表面に有して前記配電用地上機器の表面に設けられ、各電柱用表示シートは前記配電用地上機器から前記誘導地点までの道順に沿って設置された前記複数の電柱に設けられ、前記誘導地点を示す誘導地点表示と、前記誘導地点までの距離表示とを表面に有することが好ましい。
【００１０】
この本考案に係る案内表示システムは、地図用表示シートを配電用地上機器の表面に設け、複数の電柱用表示シートを所定の電柱に設けて使用される。地図用表示シートの誘導地点表示と距離表示と地図とマトリックス型２次元コードとにより、配電用地上機器の位置から誘導地点までの距離等を確認することができる。電柱用表示シートは配電用地上機器から誘導地点までの道順に沿って電柱に表示されるので、電柱用表示シートの誘導地点表示と、所定の地点までの距離表示と、マトリックス型２次元コードとを確認することにより、誘導地点に円滑にたどり着くことができる。こうして、利用者を誘導地点に効果的に誘導することができる。
【００１１】
地図用表示シートおよび複数の電柱用表示シートは、ラッピング用フィルムから成ることが好ましい。地図用表示シートおよび複数の電柱用表示シートは、裏面に粘着剤が付着されていることが好ましく、着脱可能に貼り付けられることが好ましい。誘導地点表示は、１つであっても複数であってもよい。
【００１２】
本考案に係る案内表示システムで、前記誘導地点表示は観光スポットの名称表示から成り、各電柱用表示シートは前記誘導地点に関連する写真を有し、前記地図は前記観光スポットを示す地図から成り、前記マトリックス型２次元コードは観光協会ホームページへ誘導する構成を有していてもよい。
この場合、地図用表示シートおよび電柱用表示シートを見た利用者を、観光スポットに効果的に誘導することができる。
【００１３】
本考案に係る案内表示システムで、前記誘導地点表示は避難場所の名称表示から成り、各電柱用表示シートは震災時の浸水深を示す高さ表示を有し、前記地図は前記避難場所を示す地図から成り、前記マトリックス型２次元コードは防災担当部署のホームページへ誘導する構成を有していてもよい。
この場合、地図用表示シートおよび電柱用表示シートを見た利用者を、避難場所に効果的に誘導することができる。
【００１４】
本考案に係る案内表示システムで、前記配電用地上機器は正面と両側面と背面とを有し、前記地図用表示シートは前記正面と前記両側面と前記背面とに設けられていてもよい。
この場合、表示スペースを大きくとることができる。
【考案の効果】
【００１５】
本考案によれば、利用者を誘導地点に効果的に誘導することができる配電用地上機器を用いた案内表示システムを提供することができる。
【図面の簡単な説明】
【００１６】
【図１】本考案の実施の形態の案内表示システムで用いられる地図用表示シートと、電柱と、電柱用表示シートと、その設置場所を示す説明図である。
【図２】本考案の実施の形態の案内表示システムで用いられる配電用地上機器の（Ａ）正面および右側面を示す斜視図、（Ｂ）正面および左側面を示す斜視図、（Ｃ）背面図である。
【図３】本考案の他の実施の形態の案内表示システムで用いられる地図用表示シートと、電柱用表示シートと、その設置場所を示す説明図である。
【考案を実施するための形態】
【００１７】
以下、図面に基づき本考案の実施の形態について説明する。
図１および図２は、本考案の実施の形態の案内表示システムを示している。
図１に示す案内表示システムは、地図用表示シート１０と複数の電柱用表示シート２０とを有している。地図用表示シート１０は配電用地上機器１に設けられ、複数の電柱用表示シート２０は複数の電柱２にそれぞれ設けられる。
【００１８】
地図用表示シート１０は、長方形のラッピング用フィルムから成り、裏面に粘着剤が付着されている。地図用表示シート１０は、図２に示す箱状の配電用地上機器１の表面に貼り付けられる。配電用地上機器１は、直方体状の外観で、正面１ａと両側面１ｂ、１ｃと背面１ｄとを有している。図２に示すように、地図用表示シート１０は、配電用地上機器１の正面１ａのほか、両側面１ｂ、１ｃと背面１ｄとに設けられていてもよい。この場合、表示スペースを大きくとることができる。また、背面１ｄでは、車道側で運転者向けに案内することができる。両側面１ｂ、１ｃは、歩行者向けの案内に効果的である。配電用地上機器１は、内部に変圧器、開閉器、低圧分岐装置のいずれが収容されたものでもよい。配電用地上機器１は、表面に落書き防止の特殊塗装がされたものでも、表面が平面のものでも、表面に凹凸またはディンプルを有するものでもよい。
【００１９】
地図用表示シート１０は、複数の誘導地点表示１１と、複数の写真１２と、複数の距離表示１３と、地図１４と、マトリックス型２次元コード１５とを表面に有している。マトリックス型２次元コード１５には、ＱＲコード（登録商標）を用いることができる。複数の誘導地点表示１１は、複数の誘導地点にそれぞれ関連し、その誘導地点の建築物、名所などの観光スポットの名称を日本語と英語などの外国語で表示する。複数の写真１２は、複数の誘導地点に関連し、その誘導地点の建築物、名所などの観光スポットの写真から成る。複数の距離表示１３は、配電用地上機器１から各誘導地点までの距離を表示する。地図１４は、配電用地上機器１と各誘導地点との地理関係を表示し、観光スポットを示す。マトリックス型２次元コード１５は、各誘導地点に関連し、観光協会ホームページへ誘導する構成を有する。観光協会ホームページは、日本語と英語などの外国語で表示される。
【００２０】
各電柱用表示シート２０は、長方形のラッピング用フィルムまたはポリプロピレン等のプラスチックシートから成り、裏面に粘着剤が付着されている。各電柱用表示シート２０は、配電用地上機器１から複数の誘導地点のうちの所定の誘導地点までの道順３に沿って設置された、複数の電柱２のうちの所定の電柱２の、目線の高さの側面に貼り付けられる。各電柱用表示シート２０は、誘導地点表示２１と、写真２２と、距離および方向表示２３と、マトリックス型２次元コード２５とを表面に有している。
【００２１】
誘導地点表示２１は、所定の誘導地点に関連し、その誘導地点の建築物、名所などの観光スポットの名称を表示する。複数の写真２２は、所定の誘導地点に関連し、その誘導地点の建築物、名所などの観光スポットの写真から成る。距離および方向表示２３は、貼り付けられた所定の電柱２から所定の誘導地点までの距離および方向を表示する。方向は、矢印で示される。マトリックス型２次元コード２５は、所定の誘導地点に関連し、観光協会ホームページへ誘導する構成を有する。各電柱用表示シート２０の誘導地点表示２１、写真２２およびマトリックス型２次元コード２５は、地図用表示シート１０の誘導地点表示１１、写真１２およびマトリックス型２次元コード１５とそれぞれ同一である。
【００２２】
案内表示システムは、地図用表示シート１０を配電用地上機器１の表面に設け、複数の電柱用表示シート２０を所定の電柱２に設けて使用される。地図用表示シート１０の複数の誘導地点表示１１と距離および方向表示１３と地図１４とマトリックス型２次元コード１５とにより、配電用地上機器１の位置から誘導地点の観光スポットまでの距離等を確認することができる。電柱用表示シート２０は配電用地上機器１から誘導地点までの道順３に沿って電柱２に表示されるので、電柱用表示シート２０の誘導地点表示２１と、所定の誘導地点までの距離および方向表示２３と、マトリックス型２次元コード２５とを確認することにより、観光スポットに円滑にたどり着くことができる。こうして、地図用表示シート１０および電柱用表示シート２０を見た利用者を誘導地点の観光スポットに効果的に誘導することができる。
【００２３】
図３は、本考案の他の実施の形態の案内表示システムを示している。
図３に示す案内表示システムは、地図用表示シート３０と複数の電柱用表示シート４０とを有している。
地図用表示シート３０は、誘導地点表示と、地図３１と、マトリックス型２次元コード３２とを表面に有している。誘導地点表示は、誘導地点である津波避難場所の名称を表示する。地図３１は、避難場所を示す地図から成っている。マトリックス型２次元コード３２は、防災担当部署のホームページへ誘導する構成を有している。地図用表示シート３０は、駅前等の人通りの多い場所の配電用地上機器１に貼り付けられる。
【００２４】
各電柱用表示シート４０は、誘導地点表示４１と、案内用図記号４２と、距離および方向表示４３とを表面に有している。地図用表示シート３０および複数の電柱用表示シート４０は、反射材を使用して夜間も視認可能となっている
【００２５】
図４に示す案内表示システムでは、地図用表示シート３０および電柱用表示シート４０を見た利用者を、避難場所に効果的に誘導することができる。この案内表示システムは、災害発生時に住民の生命・財産を守るための情報伝達手段として有効である。
【符号の説明】
【００２６】
１  配電用地上機器
２  電柱
１０  地図用表示シート
１１  誘導地点表示
１２  写真
１３  距離表示
１４  地図
１５  マトリックス型２次元コード
２０  電柱用表示シート
２１  誘導地点表示
２２  写真
２３  距離および方向表示
２４  マトリックス型２次元コード
３０  地図用表示シート
３１  地図
３２  マトリックス型２次元コード
４０  電柱用表示シート
４１  誘導地点表示
４２  案内用図記号
４３  距離および方向表示
【図１】
0003218004.tif 000003
【図２】
0003218004.tif 000004
【図３】
0003218004.tif 000005